(57)【要約】【課題】製作者の意図したとおりに鑑賞者が知覚するように画像を表示すること。【解決手段】画像表示システム１０は、製作者によって製作された画像データに少なくとも製作者の視覚特性情報を組み込む制御部２６を備える製作者端末装置２０と、製作者の視覚特性情報を組み込まれた画像データを受信し、該受信した画像データから製作者の視覚特性情報を抽出する制御部３２と、少なくとも製作者の視覚特性情報に基づいて、画像データを補正する補正部３４とを備える鑑賞者端末装置３０とからなる。【選択図】      図１
2004157302.tif 000002
【特許請求の範囲】
【請求項１】
製作者によって製作された画像データを製作者端末装置から鑑賞者端末装置へ送信し、該画像データを補正して表示する画像表示システムであって、
前記製作者端末装置は、前記製作者によって製作された画像データに少なくとも当該製作者の視覚特性情報を組み込む組込手段を備え、
前記鑑賞者端末装置は、前記組込手段によって前記製作者の視覚特性情報を組み込まれた画像データを受信し、該受信した画像データから前記製作者の視覚特性情報を抽出する抽出手段と、
少なくとも前記抽出手段によって抽出された前記製作者の視覚特性情報に基づいて、前記画像データを補正する補正手段と、
を備えたことを特徴とする画像表示システム。
【請求項２】
前記補正手段は、前記抽出手段によって抽出された前記製作者の視覚特性情報に加えて、鑑賞者の視覚特性情報をも用いて、前記画像データを補正することを特徴とする請求項１に記載の画像表示システム。
【請求項３】
前記鑑賞者端末装置は、
前記鑑賞者の視覚特性情報に対して前記製作者の視覚特性情報が逸脱している部分を相対的補正情報として算出する相対的補正情報算出手段を備え、
前記補正手段は、前記相対的補正情報算出手段によって算出された相対的補正情報に基づいて、前記画像データを補正することを特徴とする請求項２に記載の画像表示システム。
【発明の詳細な説明】
【０００１】
【発明の属する技術分野】
この発明は、製作者によって製作された画像データを製作者端末装置から鑑賞者端末装置へ送信し、該画像データを補正して表示する画像表示システムに関し、特に、製作者の意図したとおりに鑑賞者が知覚するように画像を表示することができる画像表示システムに関する。
【０００２】
【従来の技術】
従来より、ネットワークを介して画像データを送受信するシステムとして、製作者端末装置および鑑賞者端末装置からなる画像表示システムが知られている。具体的には、インターネットおよび地上波デジタル放送などのネットワークを介して、製作者によって製作された画像データを鑑賞者端末装置に送信する製作者端末装置と、送信された画像データを表示する鑑賞者端末装置からなる画像表示システムである。
【０００３】
ここで、人間の視覚特性は、年齢および視覚異常などの様々な要因に応じて実際に視覚で知覚されるものに個人差があるので、鑑賞者端末装置によって実際に表示されている画像と鑑賞者の視覚から知覚される画像が一致しないという事実がある。
【０００４】
具体的には、人間の色の弁別感度および網膜上の照度は加齢に伴って低下するので、高齢者が鑑賞者端末装置によって表示された画像を鑑賞する場合には、実際に表示されている画像に比べて、暗く黄色味を帯びて感じられる。このため、従来の画像表示システムでは、実際に表示される画像を良好な画像で鑑賞者に提供することは困難であった。
【０００５】
このような事実を背景にして、製作者端末装置から送信された画像データを鑑賞者の視覚特性に対応する画像データに補正する鑑賞者端末装置が開発されている。具体的には、画像表示システムの鑑賞者端末装置において、製作者端末装置から送信された画像データを鑑賞者の視覚特性に対応する画像データに補正するというものである（例えば、特許文献１参照）。
【０００６】
【特許文献１】
特開２００１−２５１６４１号公報
【０００７】
【発明が解決しようとする課題】
しかしながら、上記の従来技術は、製作者端末装置から送信された画像データを鑑賞者の視覚特性に対応するように補正しているので、製作者の意図したとおりに鑑賞者が知覚するように画像を表示するためには不十分であった。
【０００８】
本発明は、上述した従来技術による問題点を解消するためになされたものであり、製作者の意図したとおりに鑑賞者が知覚するように画像を表示することができる画像表示システムを提供することを目的とする。
【０００９】
【課題を解決するための手段】
上述した課題を解決し、目的を達成するため、本発明は、製作者によって製作された画像データに少なくとも製作者の視覚特性情報を組み込み、製作者の視覚特性情報を組み込まれた画像データを受信し、受信した画像データから製作者の視覚特性情報を抽出し、少なくとも製作者の視覚特性情報に基づいて、画像データを補正する。
【００１０】
この発明によれば、製作者の視覚特性データに基づいて標準的な視覚特性データで製作された画像データと同様のものに補正するので、製作者の意図したとおりに鑑賞者が知覚するように画像を表示することができる。
【００１１】
また、本発明は、製作者の視覚特性情報に加えて、鑑賞者の視覚特性情報をも用いて、画像データを補正する。
【００１２】
この発明によれば、製作者によって製作された画像データは鑑賞者の視覚特性データによって製作された画像データと同様のものに補正されるので、製作者の意図したとおりに鑑賞者が知覚するように画像を表示することができる。
【００１３】
また、本発明は、鑑賞者の視覚特性情報に対して製作者の視覚特性情報が逸脱している部分を相対的補正情報として算出し、算出された相対的補正情報に基づいて、画像データを補正する。
【００１４】
この発明によれば、製作者の視覚特性データおよび鑑賞者の視覚特性データの逸脱が一度の処理で補正されるので、補正処理を効率的に動作させ、製作者の意図したとおりに鑑賞者が知覚するように画像を表示することができる。
【００１５】
【発明の実施の形態】
以下に添付図面を参照して、この発明に係る画像表示システムの好適な実施の形態を詳細に説明する。なお、以下に示す本発明に係る画像表示システムの概要および主たる特徴を説明した後に、実施の形態１〜３では、本発明に係る画像表示システムについて説明し、また実施の形態４では、本発明に係る製作者端末装置および／または鑑賞者端末装置からなる画像表示システムを実行するコンピュータシステムについて説明することとする。
【００１６】
［概要および主たる特徴］
まず最初に、本発明に係る画像表示システムの概要および主たる特徴を説明する。図１に示す本発明に係る画像表示システム１０は、概略的には、製作者端末装置２０において、製作者によって製作された画像データに製作者の視覚特性データを組み込んで鑑賞者端末装置３０に送信する。そして、鑑賞者端末装置３０では、受信した画像データから製作者の視覚特性データを抽出し、該抽出した製作者の視覚特性データに基づいて画像データを補正するものである。
【００１７】
ここで、この画像表示システムは、製作者によって製作された画像データに製作者の視覚特性データを組み込んで送信し、画像データを補正する際に製作者の視覚特性をデータとして用いて補正することに主たる特徴があり、製作者の視覚特性データに基づいて標準的な視覚特性データで製作された画像データと同様のものに補正することにより、製作者の意図したとおりに鑑賞者が知覚するように画像を表示することができるようにしている。
【００１８】
この主たる特徴を具体的に説明すると、画像表示システムの製作者端末装置における制御部は、製作者によって製作された画像データに製作者の視覚特性データを組み込んで、送信処理部を介して鑑賞者端末装置に送信する。
【００１９】
そして、鑑賞者端末装置における制御部は、受信処理部を介して入力された画像データから製作者の視覚特性データを抽出する。続いて、補正部は、製作者によって製作された画像データを製作者の視覚特性データに基づいて補正する補正処理、製作者の視覚特性データおよび鑑賞者の視覚特性データに基づいて製作者によって製作された画像データを補正する補正処理、または、鑑賞者の視覚特性データに対して製作者の視覚特性データが逸脱している部分を相対的補正データとして算出し、該算出した相対的補正データに基づいて製作者によって製作された画像データを補正する補正処理をおこなう。
【００２０】
したがって、本発明に係る画像表示システムは、上記した従来技術の例で言えば、製作者端末装置から送信された画像データを、製作者の視覚特性データに基づいて標準的な視覚特性データで製作された画像データと同様のものに補正することにより、製作者の意図したとおりに鑑賞者が知覚するように画像を表示することが可能になる。
【００２１】
さらに、製作者端末装置の制御部が製作者の視覚特性データに製作者のＩＤ情報をさらに組み込んで送信し、鑑賞者端末装置の視覚特性データ記憶部が製作者のＩＤ情報および製作者の視覚特性データを対応付けて記憶しておくことに特徴がある。
【００２２】
すなわち、同一の製作者が複数の画像データを送信する場合、２度目以降は画像データのみを送信することで同様の補正をおこなうことができ、また製作者の視覚特性データを記憶している鑑賞者端末装置に画像データを送信する場合には、１度目に製作者のＩＤ情報を送信することで同様の処理をおこなうことができるので、ネットワーク間でのデータの送受信を効率良くおこなうことができる。
【００２３】
なお、本発明に係る画像表示システムは、静止画像、動画像および立体映像などの広範囲な画像データに対して適用することができ、インターネットおよび地上波デジタル放送などのネットワークを介して、画像データの送受信をおこなう場合に好適に実施される。
【００２４】
（実施の形態１）
実施の形態１では、製作者によって製作された画像データに製作者の視覚特性データを組み込んで鑑賞者端末装置に送信する製作者端末装置と、受信した画像データから製作者の視覚特性データを抽出し、該抽出された製作者の視覚特性データに基づいて画像データを補正して表示する鑑賞者端末装置とからなる画像表示システムについて説明する。
【００２５】
なお、ここでは、実施の形態１に係る画像表示システムにおける製作者端末装置の構成および各種処理の手順を説明した後に、実施の形態１に係る画像表示システムにおける鑑賞者端末装置の構成および各種処理の手順を説明する。
【００２６】
＜実施の形態１に係る製作者端末装置の構成＞
本実施の形態１に係る画像表示システムにおける製作者端末装置の構成を説明する。図１は、本実施の形態１に係る画像表示システムの構成を示すブロック図である。この画像表示システム１０における製作者端末装置２０は、同図に示すように、製作者データ入力部２１と、視覚データ取得部２２と、テーブル２３と、視覚特性データ算出部２４と、画像データ入力部２５と、制御部２６と、送信処理部２７と、視覚情報データベース６０とを備える。
【００２７】
製作者データ入力部２１は、製作者の年齢の入力を受け付ける処理部である。具体的には、視覚情報データベース６０を検索する際の検索項目となる製作者の年齢の受け付けをおこなう。
【００２８】
視覚データ取得部２２は、製作者の視覚データを取得する処理部である。具体的には、水晶体の透過スペクトルの測定、瞳孔の面積比の測定、色覚検査および視力検査などの測定結果または検査結果の取得をおこなう。
【００２９】
テーブル２３は、製作者ＩＤ、製作者ＩＤの登録の有無および製作者ＩＤの登録年月日を対応付けて記憶する処理部である。具体的には、図３（ａ）に示すように、製作者ＩＤの番号（１２３４５６）、ＩＤの登録の有無（登録の有無を０（登録無し）または１（登録有り）で表している）およびＩＤの登録年月日（２００１．１．１）を対応付けて記憶している。なお、人間の視覚特性は、加齢効果や様々な要因によって月日を経るとともに徐々に変化していくので、既に登録された製作者ＩＤについても所定の期間を過ぎると登録されていないものとして扱われる。
【００３０】
視覚特性データ算出部２４は、製作者データ入力部２１によって入力された製作者の年齢に基づいて視覚情報データベース６０から検索された製作者の年齢に対応する統計的な視覚特性データと、視覚データ取得部２２によって取得された視覚データから製作者の固有の視覚特性データを算出する処理部である。具体的には、統計的な視覚特性データを用いて、視覚データとして取得された水晶体の透過スペクトルおよび瞳孔の面積比から視覚特性データである分光感度特性および光量感度特性の算出をおこなう。
【００３１】
画像データ入力部２５は、製作者によって製作された画像データを制御部２６に入力する処理部である。また、画像データ入力部２５が制御部２６に入力する画像データの対象として、静止画像、動画像および立体映像などがある。
【００３２】
制御部２６は、各処理部でおこなわれるデータの入力および出力を制御する処理部である。その中でも特徴的な処理として、製作者によって製作された画像データに製作者の視覚特性データおよび製作者のＩＤ情報を組み込む処理をおこなう。
【００３３】
送信処理部２７は、制御部２６から出力された製作者の視覚特性データおよび製作者のＩＤ情報を組み込まれた画像データを鑑賞者端末装置３０に送信する処理部である。
【００３４】
視覚情報データベース６０は、年齢および統計的な視覚特性データを対応付けて記憶する処理部である。具体的には、統計的な視覚特性データとして、図２に示すような各年齢層の分光感度特性（図２（ａ）参照）、光量感度特性（図２（ｂ）参照）、色覚特性および視力特性のデータを年齢と対応付けて記憶している。また、膨大な人数の視覚特性データを格納したデータベースを用いてもよい。
【００３５】
＜実施の形態１に係る製作者端末装置の各種処理の手順＞
次に、本実施の形態１に係る画像表示システムにおける製作者端末装置の各種処理の手順を説明する。図４は、実施の形態１に係る製作者端末装置の手順を示すフローチャートである。同図に示すように、製作者データ入力部２１は、製作者の年齢の入力を受け付ける（ステップＳ４０１）。
【００３６】
続いて、視覚データ取得部２２は、製作者の視覚データを制御部２６に入力する（ステップＳ４０２）。具体的には、製作者の水晶体の透過スペクトルの測定、瞳孔の面積比の測定、色覚検査および視力検査などの測定結果または検査結果を制御部２６に入力する。
【００３７】
そして、制御部２６は、製作者の年齢に基づいて視覚情報データベース６０から統計的な視覚特性データを検索する（ステップＳ４０３）。具体的には、製作者の年齢に該当する統計的な視覚特性データ（分光感度特性、光量感度特性、色覚特性および視力特性）を視覚情報データベース６０から検索する。
【００３８】
続いて、制御部２６は、視覚データおよび統計的な視覚特性データを視覚特性データ算出部２４に入力する（ステップＳ４０４）。そして、視覚特性データ算出部２４は、統計的な視覚特性データに基づいて視覚データから製作者の固有の視覚特性データを算出し、制御部２６に出力する（ステップＳ４０５）。具体的には、統計的な視覚特性データを用いて、視覚データとして取得された水晶体の透過スペクトルおよび瞳孔の面積比から製作者の視覚特性データである分光感度特性および光量感度特性を算出する。
【００３９】
ここで、制御部２６は、製作者ＩＤおよびＩＤの登録年月日をテーブル２３に登録する（ステップＳ４０６）。具体的には、図３（ａ）に示すように、製作者ＩＤの番号、ＩＤの登録の有無（登録の有無を０（登録無し）または１（登録有り）で表している）およびＩＤの登録年月日を対応付けてテーブル２３に記憶する。
【００４０】
そして、画像データ入力部２５は、製作者が製作した画像データを制御部２６に入力する（ステップＳ４０７）。なお、制御部２６に入力する画像データの対象として、静止画像、動画像および立体映像などがある。
【００４１】
ここで、制御部２６は、製作者によって製作された画像データに製作者の固有の視覚特性データおよび製作者のＩＤ情報を組み込み、画像データを送信処理部２７に出力する（ステップＳ４０８）。
【００４２】
最後に、送信処理部２７は、製作者の固有の視覚特性データおよび製作者のＩＤ情報を組み込まれた画像データを鑑賞者端末装置３０に送信する（ステップＳ４０９）。
【００４３】
＜実施の形態１に係る鑑賞者端末装置の構成＞
本実施の形態１に係る画像表示システムにおける鑑賞者端末装置の構成を説明する。図１は、本実施の形態１に係る画像表示システムの構成を示すブロック図である。この画像表示システム１０における鑑賞者端末装置３０は、同図に示すように、受信処理部３１と、制御部３２と、視覚特性データ記憶部３３と、補正部３４と、表示制御部３５と、表示部３６とを備える。
【００４４】
受信処理部３１は、製作者端末装置２０の送信処理部２７によって送信された製作者の固有の視覚特性データおよび製作者のＩＤ情報を組み込まれた画像データを受信する処理部である。
【００４５】
制御部３２は、各処理部でおこなわれるデータの入力および出力を制御する処理部である。その中でも特徴的な処理として、受信処理部３１が受信した画像データから製作者の固有の視覚特性データおよび製作者のＩＤ情報を抽出する処理をおこなう。
【００４６】
視覚特性データ記憶部３３は、制御部３２によって抽出された製作者の固有の視覚特性データおよび製作者のＩＤ情報を対応付けて記憶する処理部である。具体的には、図３（ｂ）に示すように、製作者ＩＤ（１２３４５６）と製作者の視覚特性データ（製作者Ａの分光感度特性、製作者Ａの光量感度特性および白内障）を対応付けて記憶する。
【００４７】
補正部３４は、製作者の固有の視覚特性データに基づいて、画像データを補正する処理部である。具体的には、画像データを補正する際に、製作者の分光感度特性、光量感度特性、色覚特性および視力特性のそれぞれについて標準的な視覚特性データから逸脱している部分について補正処理をおこなう。なお、標準的な視覚特性データは、任意に変更することができる。
【００４８】
表示制御部３５は、補正部３４によって補正された画像データを、表示部３６で出力するために表示画面を作成する処理部であり、表示部３６は、表示制御部３５によって作成された表示画面を出力する処理部である。
【００４９】
＜実施の形態１に係る鑑賞者端末装置の各種処理の手順＞
次に、本実施の形態１に係る画像表示システムにおける鑑賞者端末装置の各種処理の手順を説明する。なお、（１）画像表示システムにおける鑑賞者端末装置の各種処理の手順を説明した後に、鑑賞者端末装置でおこなわれる（２）補正処理の手順について詳細に説明する。
【００５０】
（１）実施の形態１に係る鑑賞者端末装置の各種処理の手順
図５は、実施の形態１に係る鑑賞者端末装置の手順を示すフローチャートである。同図に示すように、受信処理部３１は、製作者端末装置２０の送信処理部２７によって送信された製作者の固有の視覚特性データおよび製作者のＩＤ情報を組み込まれた画像データを受信する（ステップＳ５０１）。
【００５１】
そして、制御部３２は、受信処理部３１が受信した画像データから製作者の固有の視覚特性データおよび製作者のＩＤ情報を抽出し、視覚特性データ記憶部３３に記憶する（ステップＳ５０２）。また、制御部３２は、画像データおよび製作者の固有の視覚特性データを補正部３４に入力する（ステップＳ５０３）。
【００５２】
ここで、補正部３４は、製作者の固有の視覚特性データに基づいて、画像データを補正する（ステップＳ５０４）。具体的には、製作者の固有の視覚特性データに基づいて標準的な視覚特性データで製作された画像データと同様のものに補正する。
【００５３】
そして、表示処理部３５は、補正部３４によって補正された画像データを、表示部３６で出力するために表示画面を作成する（ステップＳ５０５）。最後に、表示部３６は、表示制御部３５によって作成された表示画面を出力する（ステップＳ５０６）。
【００５４】
（２）補正処理の手順（ステップＳ５０４でおこなわれる補正処理）
次に、上述した鑑賞者端末装置の補正部でおこなわれる補正処理の手順について詳細に説明する。図６は、実施の形態１に係る補正処理の手順を示すフローチャートである。
【００５５】
同図に示すように、補正部３４は、製作者の分光感度特性で製作された画像データを標準的な分光感度特性で製作された画像データと同様のものに補正する（ステップＳ６０１）。具体的には、製作者の分光感度特性が標準的な分光感度特性から逸脱している波長感度の部分について、画像データにおける色差データを補正する。
【００５６】
そして、製作者の光量感度特性で製作された画像データを標準的な光量感度特性で製作された画像データと同様のものに補正する（ステップＳ６０２）。具体的には、製作者の光量感度特性が標準的な光量感度特性から逸脱している部分について、画像データにおける輝度データを補正する。
【００５７】
続いて、製作者の色覚特性に異常があるか判定する（ステップＳ６０３）。そして、製作者の色覚特性に異常がある場合には（ステップＳ６０３肯定）、製作者の色覚特性で製作された画像データを標準的な色覚特性で製作された画像データと同様のものに補正する（ステップＳ６０４）。
【００５８】
また、製作者の色覚特性に異常がない場合には（ステップＳ６０３否定）、下記のステップＳ６０５の処理を実行する。
【００５９】
続いて、製作者の視力特性に異常があるか判定する（ステップＳ６０５）。そして、製作者の視力特性に異常がある場合には（ステップＳ６０５肯定）、製作者の視力特性で製作された画像データを標準的な視力特性で製作された画像データと同様のものに補正する（ステップＳ６０６）
【００６０】
また、製作者の視力特性に異常がない場合には（ステップＳ６０５否定）、補正処理を終了する。
【００６１】
上述してきたように、本実施の形態１に係る画像表示システムは、製作者の固有の視覚特性データに基づいて、画像データを補正するので、製作者の視覚特性データに基づいて標準的な視覚特性データで製作された画像データと同様のものに補正することとなり、製作者の意図したとおりに鑑賞者が知覚するように画像を表示することが可能になる。
【００６２】
（実施の形態２）
実施の形態２では、製作者によって製作された画像データに製作者の視覚特性データを組み込んで鑑賞者端末装置に送信する製作者端末装置と、受信した画像データから製作者の視覚特性データを抽出し、該抽出された製作者の視覚特性データおよび鑑賞者の視覚特性データに基づいて、画像データを補正する鑑賞者端末装置とからなる画像表示システムについて説明する。
【００６３】
なお、ここでは、実施の形態２に係る画像表示システムにおける鑑賞者端末装置の構成を説明した後に、この画像表示システムにおける鑑賞者端末装置による各種処理の手順を説明する。また、本実施の形態２に係る製作者端末装置は、実施の形態１に係る製作者端末装置と同様であるので説明を省略する。
【００６４】
＜実施の形態２に係る鑑賞者端末装置の構成＞
本実施の形態２に係る画像表示システムにおける鑑賞者端末装置の構成を説明する。図７は、本実施の形態２に係る画像表示システムの構成を示すブロック図である。この画像表示システム１０における鑑賞者端末装置４０は、同図に示すように、実施の形態１に示す鑑賞者端末装置３０に比較して、鑑賞者データ入力部４１と、視覚データ取得部４２および視覚特性データ算出部４３と、視覚情報データベース６０とを備える点が相違する。
【００６５】
鑑賞者データ入力部４１は、鑑賞者の年齢の入力を受け付ける処理部である。具体的には、視覚情報データベース６０を検索する際の検索項目となる鑑賞者の年齢の受け付けをおこなう。
【００６６】
視覚データ取得部４２は、鑑賞者の視覚データを取得する処理部である。具体的には、水晶体の透過スペクトルの測定、瞳孔の面積比の測定、色覚検査および視力検査などの測定結果または検査結果の取得をおこなう。
【００６７】
視覚特性データ算出部４３は、鑑賞者データ入力部４１によって入力された鑑賞者の年齢に基づいて視覚情報データベース６０から検索された鑑賞者の年齢に対応する統計的な視覚特性データと、視覚データ取得部４２によって取得された視覚データから鑑賞者の固有の視覚特性データを算出する処理部である。具体的には、統計的な視覚特性データを用いて、視覚データとして取得された水晶体の透過スペクトルおよび瞳孔の面積比から視覚特性データである分光感度特性および光量感度特性の算出をおこなう。
【００６８】
視覚情報データベース６０は、年齢および統計的な視覚特性データを対応付けて記憶する処理部である。具体的には、統計的な視覚特性データとして、図２に示すような各年齢層の分光感度特性（図２（ａ）参照）、光量感度特性（図２（ｂ）参照）、色覚特性および視力特性のデータを年齢と対応付けて記憶している。また、膨大な人数の視覚特性データを格納したデータベースを用いてもよい。
【００６９】
＜実施の形態２に係る鑑賞者端末装置の各種処理の手順＞
次に、本実施の形態２に係る画像表示システムにおける鑑賞者端末装置の各種処理の手順を説明する。なお、（１）画像表示システムにおける鑑賞者端末装置の各種処理の手順を説明した後に、鑑賞者端末装置でおこなわれる（２）補正処理の手順について詳細に説明する。
【００７０】
（１）実施の形態２に係る鑑賞者端末装置の各種処理の手順
図８は、実施の形態２に係る鑑賞者端末装置の手順を示すフローチャートである。同図に示すように、受信処理部３１は、製作者端末装置２０の送信処理部２７によって送信された製作者の固有の視覚特性データおよび製作者のＩＤ情報を組み込まれた画像データを受信する（ステップＳ８０１）。
【００７１】
そして、制御部３２は、受信処理部３１が受信した画像データから製作者の固有の視覚特性データおよび製作者のＩＤ情報を抽出し、視覚特性データ記憶部３３に記憶する（ステップＳ８０２）。また、制御部３２は、画像データおよび製作者の固有の視覚特性データを補正部３４に入力する（ステップＳ８０３）。
【００７２】
ここで、補正部３４は、製作者の固有の視覚特性データに基づいて、画像データを補正する（ステップＳ８０４）。具体的には、製作者の固有の視覚特性データに基づいて標準的な視覚特性データで製作された画像データと同様のものに補正する。
【００７３】
続いて、鑑賞者データ入力部４１は、鑑賞者の年齢の入力を受け付ける（ステップＳ８０５）。また、視覚データ取得部４２は、鑑賞者の視覚データを制御部３２に入力する（ステップＳ８０６）。具体的には、鑑賞者の水晶体の透過スペクトルの測定、瞳孔の面積比の測定、色覚検査および視力検査などの測定結果または検査結果を制御部３２に入力する。
【００７４】
そして、制御部３２は、鑑賞者の年齢に基づいて視覚情報データベース６０から統計的な視覚特性データを検索する（ステップＳ８０７）。具体的には、鑑賞者の年齢に該当する統計的な視覚特性データ（分光感度特性、光量感度特性、色覚特性および視力特性）を視覚情報データベース６０から検索する。
【００７５】
続いて、制御部３２は、鑑賞者の視覚データおよび統計的な視覚特性データを視覚特性データ算出部４３に入力する（ステップＳ８０８）。そして、視覚特性データ算出部４３は、鑑賞者の統計的な視覚特性データに基づいて鑑賞者の視覚データから鑑賞者の固有の視覚特性データを算出し、制御部３２に出力する（ステップＳ８０９）。具体的には、統計的な視覚特性データを用いて、視覚データとして取得された水晶体の透過スペクトルおよび瞳孔の面積比から視覚特性データである分光感度特性および光量感度特性を算出する。
【００７６】
また、制御部３２は、標準的な視覚特性データで製作された画像データおよび鑑賞者の固有の視覚特性データを補正部３４に入力する（ステップＳ８１０）。
【００７７】
ここで、補正部３４は、鑑賞者の固有の視覚特性データに基づいて画像データを補正する（ステップＳ８１１）。具体的には、標準的な視覚特性データで製作された画像データを鑑賞者の固有の視覚特性データに対応する画像データに補正する。
【００７８】
そして、表示処理部３５は、補正部３４によって補正された画像データを、表示部３６で出力するために表示画面を作成する（ステップＳ８１２）。最後に、表示部３６は、表示制御部３５によって作成された表示画面を出力する（ステップＳ８１３）。
【００７９】
（２）補正処理の手順（ステップＳ８１１でおこなわれる補正処理）
次に、上述した鑑賞者端末装置の補正部でおこなわれる補正処理の手順について詳細に説明する。図９は、実施の形態２に係る補正処理の手順を示すフローチャートである。
【００８０】
同図に示すように、補正部３４は、標準的な分光感度特性で製作された画像データを鑑賞者の分光感度特性に対応する画像データに補正する（ステップＳ９０１）。具体的には、標準的な分光感度特性が鑑賞者の分光感度特性から逸脱している波長感度の部分について、画像データにおける色差データを補正する。
【００８１】
そして、標準的な光量感度特性で製作された画像データを鑑賞者の光量感度特性に対応する画像データに補正する（ステップＳ９０２）。具体的には、標準的な光量感度特性が鑑賞者の光量感度特性から逸脱している部分について、画像データにおける輝度データを補正する。
【００８２】
続いて、鑑賞者の色覚特性に異常があるか判定する（ステップＳ９０３）。そして、鑑賞者の色覚特性に異常がある場合には（ステップＳ９０３肯定）、標準的な色覚特性で製作された画像データを鑑賞者の色覚特性に対応する画像データに補正する（ステップＳ９０４）。
【００８３】
また、鑑賞者の色覚特性に異常がない場合には（ステップＳ９０３否定）、下記のステップＳ９０５の処理を実行する。
【００８４】
続いて、鑑賞者の視力特性に異常があるか判定する（ステップＳ９０５）。そして、鑑賞者の視力特性に異常がある場合には（ステップＳ９０５肯定）、標準的な視力特性で製作された画像データを鑑賞者の視力特性に対応する画像データに補正する（ステップＳ９０６）。
【００８５】
また、鑑賞者の視力特性に異常がない場合には（ステップＳ９０５否定）、補正処理を終了する。
【００８６】
上述してきたように、本実施の形態２に係る画像表示システムは、製作者の視覚特性データおよび鑑賞者の視覚特性に基づいて画像データを補正するので、製作者によって製作された画像データを鑑賞者の視覚特性データによって製作された画像データと同様のものに補正することとなり、製作者の意図したとおりに鑑賞者が知覚するように画像を表示することが可能になる。
【００８７】
（実施の形態３）
実施の形態３では、製作者によって製作された画像データに製作者の視覚特性データを組み込んで鑑賞者端末装置に送信する製作者端末装置と、該受信した画像データから製作者の視覚特性データを抽出し、鑑賞者の視覚特性に対して製作者の視覚特性が逸脱している部分を相対的補正データとして算出し、該算出された相対的補正データに基づいて、製作者によって製作された画像データを補正する鑑賞者端末装置からなる画像表示システムについて説明する。
【００８８】
なお、ここでは、実施の形態３に係る画像表示システムにおける鑑賞者端末装置の構成を説明した後に、この画像表示システムにおける鑑賞者端末装置による各種処理の手順を説明する。また、本実施の形態３に係る製作者端末装置は、実施の形態１に係る製作者端末装置と同様であるので説明を省略する。
【００８９】
＜実施の形態３に係る鑑賞者端末装置の構成＞
本実施の形態３に係る画像表示システムにおける鑑賞者端末装置の構成を説明する。図１０は、本実施の形態３に係る画像表示システムの構成を示すブロック図である。この画像表示システム１０における鑑賞者端末装置５０は、同図に示すように、実施の形態１または２に示す鑑賞者端末装置３０または鑑賞者端末装置４０に比較して、相対的補正データ算出部５１を備える点が相違する。つまり、鑑賞者の視覚特性に対して製作者の視覚特性が逸脱している部分を相対的補正データとして算出する相対的補正データ算出部５１を備える。
【００９０】
＜実施の形態３に係る鑑賞者端末装置の各種処理の手順＞
次に、本実施の形態３に係る画像表示システムにおける鑑賞者端末装置の各種処理の手順を説明する。なお、（１）画像表示システムにおける鑑賞者端末装置の各種処理の手順を説明した後に、鑑賞者端末装置でおこなわれる（２）補正処理の手順について詳細に説明する。
【００９１】
（１）実施の形態３に係る鑑賞者端末装置の各種処理の手順
図１１は、実施の形態３に係る鑑賞者端末装置の手順を示すフローチャートである。同図に示すように、受信処理部３１は、製作者端末装置２０の送信処理部２７によって送信された製作者の固有の視覚特性データおよび製作者のＩＤ情報を組み込まれた画像データを受信する（ステップＳ１１０１）。
【００９２】
続いて、制御部３２は、受信処理部３１が受信した画像データから製作者の固有の視覚特性データおよび製作者のＩＤ情報を抽出して視覚特性データ記憶部３３に記憶する（ステップＳ１１０２）。
【００９３】
また、鑑賞者データ入力部４１は、鑑賞者の年齢の入力を受け付ける（ステップＳ１１０３）。続いて、視覚データ取得部４２は、鑑賞者の視覚データを制御部３２に入力する（ステップＳ１１０４）。具体的には、鑑賞者の水晶体の透過スペクトルの測定、瞳孔の面積比の測定、色覚検査および視力検査などの測定結果または検査結果を制御部３２に入力する。
【００９４】
そして、制御部３２は、鑑賞者の年齢に基づいて視覚情報データベース６０から統計的な視覚特性データを検索する（ステップＳ１１０５）。具体的には、鑑賞者の年齢に該当する統計的な視覚特性データ（分光感度特性、光量感度特性、色覚特性および視力特性）を視覚情報データベース６０から検索する。
【００９５】
続いて、制御部３２は、鑑賞者の視覚データおよび統計的な視覚特性データを視覚特性データ算出部４３に入力する（ステップＳ１１０６）。その後、視覚特性データ算出部４３は、鑑賞者の統計的な視覚特性データに基づいて鑑賞者の視覚データから鑑賞者の固有の視覚特性データを算出し、制御部３２に出力する（ステップＳ１１０７）。具体的には、鑑賞者の統計的な視覚特性データを用いて、視覚データとして取得された水晶体の透過スペクトルおよび瞳孔の面積比から視覚特性データである分光感度特性および光量感度特性を算出する。
【００９６】
そして、制御部３２は、画像データ、製作者の固有の視覚特性データおよび鑑賞者の固有の視覚特性データを相対的補正データ算出部５１に入力する（ステップＳ１１０８）。続いて、相対的補正データ算出部５１は、製作者の固有の視覚特性データおよび鑑賞者の固有の視覚特性データに基づいて相対的補正データを算出し、該算出した相対的補正データおよび画像データを補正部５１に入力する（ステップＳ１１０９）。
【００９７】
ここで、補正部３４は、相対的補正データ算出部５１によって算出された相対的補正データに基づいて、画像データを補正する（ステップＳ１１１０）。
【００９８】
そして、表示処理部３５は、補正部３４によって補正された画像データを、表示部３６で出力するために表示画面を作成する（ステップＳ１１１１）。最後に、表示部３６は、表示制御部３５によって作成された表示画面を出力する（ステップＳ１１１２）。
【００９９】
（２）補正処理の手順（ステップＳ１１１０でおこなわれる補正処理）
次に、上述した鑑賞者端末装置の補正部でおこなわれる補正処理の手順について詳細に説明する。図１２は、実施の形態３に係る補正処理の手順を示すフローチャートである。
【０１００】
同図に示すように、補正部３４は、製作者の分光感度特性で製作された画像データを鑑賞者の分光感度特性に対応する画像データに補正する（ステップ１２０１）。具体的には、製作者の分光感度特性が鑑賞者の分光感度特性から逸脱している波長感度の部分について、画像データにおける色差データを補正する。
【０１０１】
そして、製作者の光量感度特性で製作された画像データを鑑賞者の光量感度特性に対応する画像データに補正する（ステップＳ１２０２）。具体的には、製作者の光量感度特性が鑑賞者の光量感度特性から逸脱している部分について、画像データにおける輝度データを補正する。
【０１０２】
続いて、色覚特性に相対的な逸脱があるか判定する（ステップＳ１２０３）。そして、色覚特性に相対的な逸脱がある場合には（ステップＳ１２０３肯定）、製作者の色覚特性で製作された画像データを鑑賞者の色覚特性に対応する画像データに補正する（ステップＳ１２０４）。
【０１０３】
また、色覚特性に相対的な逸脱がない場合には（ステップＳ１２０３否定）、下記のステップＳ１２０５の処理を実行する。
【０１０４】
続いて、視力特性に相対的な逸脱があるか判定する（ステップＳ１２０５）。そして、視力特性に相対的な逸脱がある場合には（ステップＳ１２０５肯定）、製作者の視力特性で製作された画像データを鑑賞者の視力特性に対応する画像データに補正する（ステップＳ１２０６）。
【０１０５】
また、視力特性に相対的な逸脱がない場合には（ステップＳ１２０５否定）、補正処理を終了する。
【０１０６】
上述してきたように、本実施の形態３に係る画像表示システムは、鑑賞者の視覚特性に対して製作者の視覚特性が逸脱している部分を相対的補正情報として算出し、該算出した相対的補正情報に基づいて画像データを補正するので、製作者の視覚特性データおよび鑑賞者の視覚特性データの逸脱を一度の処理で補正することとなり、補正処理を効率的に動作させ、製作者の意図したとおりに鑑賞者が知覚するように画像を表示することが可能になる。
【０１０７】
なお、実施の形態１〜３では、製作者または鑑賞者の視覚特性データとして、分光感度特性、光量感度特性、色覚特性および視力特性について説明したが、本発明はこれに限定されるものではなく、透過スペクトル特性および散乱スペクトル特性についても同様に適用することができる。
【０１０８】
また、実施の形態１〜３では、製作者および／または鑑賞者の固有の視覚特性データを算出し、該算出したデータを視覚特性データとして用いた場合について説明したが、本発明はこれに限定されるものではなく、統計的な視覚特性データを視覚特性データとして用いる場合についても同様に適用することができる。
【０１０９】
（実施の形態４）
ところで、上記実施の形態１〜３で説明した画像表示システムにおける製作者端末装置および／または鑑賞者端末装置は、あらかじめ用意されたプログラムをパーソナル・コンピュータやワークステーションなどのコンピュータシステムで実行することによって実現することができる。そこで、本実施の形態４では、上記実施の形態１〜３で説明した製作者端末装置および／または鑑賞者端末装置からなる画像表示システムと同様の機能を有する画像表示プログラムを実行するコンピュータシステムについて説明する。
【０１１０】
図１３は、本実施の形態４に係るコンピュータシステムの構成を示すシステム構成図であり、図１４は、このコンピュータシステムにおける本体部の構成を示すブロック図である。図１３に示すように、本実施の形態４に係るコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【０１１１】
また、このコンピュータシステム１００における本体部１０１は、図１４に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【０１１２】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２並びにプリンタ１１３などが接続される。
【０１１３】
そして、このコンピュータシステム１００は、所定の記録媒体に記録された画像表示プログラムを読み出して実行することで製作者端末装置および／または鑑賞者端末装置からなる画像表示システムを実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な製作者端末装置および／または鑑賞者端末装置からなる画像表示システムをコンピュータに実行させる画像表示プログラムを記録する、あらゆる記録媒体を含むものである。
【０１１４】
すなわち、画像表示プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から画像表示プログラムを読み出して実行することで製作者端末装置および／または鑑賞者端末装置からなる画像表示システムを実現する。なお、画像表示プログラムは、コンピュータシステム１００によって実行されることに限定されるものではなく、他のコンピュータシステム１１１またはサーバ１１２が画像表示プログラムを実行する場合や、これらが協働して画像表示プログラムを実行するような場合にも、本発明を同様に適用することができる。
【０１１５】
なお、実施の形態４では、実施の形態１〜３で説明した画像表示システムが画像表示プログラムとして実行される際に、所定の記録媒体に記録して実行する場合について説明したが、本発明はこれに限定されるものではなく、製作者の視覚特性が反映された媒体を介してリアルタイムで画像データを送信する場合についても同様に適用することができる。
【０１１６】
（付記１）製作者によって製作された画像データを製作者端末装置から鑑賞者端末装置へ送信し、該画像データを補正して表示する画像表示システムであって、前記製作者端末装置は、前記製作者によって製作された画像データに少なくとも当該製作者の視覚特性情報を組み込む組込手段を備え、
前記鑑賞者端末装置は、前記組込手段によって前記製作者の視覚特性情報を組み込まれた画像データを受信し、該受信した画像データから前記製作者の視覚特性情報を抽出する抽出手段と、
少なくとも前記抽出手段によって抽出された前記製作者の視覚特性情報に基づいて、前記画像データを補正する補正手段と、
を備えたことを特徴とする画像表示システム。
【０１１７】
（付記２）前記補正手段は、前記抽出手段によって抽出された前記製作者の視覚特性情報に加えて、鑑賞者の視覚特性情報をも用いて、前記画像データを補正することを特徴とする付記１に記載の画像表示システム。
【０１１８】
（付記３）前記鑑賞者端末装置は、
前記鑑賞者の視覚特性情報に対して前記製作者の視覚特性情報が逸脱している部分を相対的補正情報として算出する相対的補正情報算出手段を備え、
前記補正手段は、前記相対的補正情報算出手段によって算出された相対的補正情報に基づいて、前記画像データを補正することを特徴とする付記２に記載の画像表示システム。
【０１１９】
（付記４）前記製作者端末装置は、
前記製作者の年齢の入力を受け付ける入力受付手段と、
年齢および統計的な視覚特性情報を対応付けて記憶する視覚情報記憶手段と、を備え、
前記組込手段は、前記製作者によって製作された画像データに、前記入力受付手段によって入力を受け付けられた前記製作者の年齢に基づいて前記視覚情報記憶手段から検索された前記製作者の年齢に対応する統計的な視覚特性情報を組み込むことを特徴とする付記１、２または３に記載の画像表示システム。
【０１２０】
（付記５）前記鑑賞者端末装置は、
前記鑑賞者の年齢の入力を受け付ける入力受付手段と、
年齢および統計的な視覚特性情報を対応付けて記憶する視覚情報記憶手段と、を備え、
前記補正手段は、前記入力受付手段によって入力を受け付けられた前記鑑賞者の年齢に基づいて前記視覚情報記憶手段から検索された前記鑑賞者の年齢に対応する統計的な視覚特性情報と、前記製作者の年齢に対応する統計的な視覚特性情報に基づいて、前記画像データを補正することを特徴とする付記２、３または４に記載の画像表示システム。
【０１２１】
（付記６）前記製作者端末装置および／または前記鑑賞者端末装置は、
前記製作者または前記鑑賞者の視覚情報を取得する視覚情報取得手段と、
前記視覚情報取得手段によって取得された前記製作者または前記鑑賞者の視覚情報と、前記製作者または前記鑑賞者の統計的な視覚特性情報とから前記製作者または前記鑑賞者の固有の視覚特性情報を算出する視覚特性情報算出手段と、をさらに備え、
前記組込手段は、前記製作者によって製作された画像データに前記視覚特性算出手段によって算出された前記製作者の固有の視覚特性情報を組み込み、
前記補正手段は、前記製作者の固有の視覚特性情報および前記視覚特性情報算出手段によって算出された前記鑑賞者の固有の視覚特性情報に基づいて、前記画像データを補正することを特徴とする付記４または５に記載の画像表示システム。
【０１２２】
（付記７）前記製作者端末装置における前記組込手段は、
前記製作者を一意に識別するためのＩＤ情報をさらに組み込み、
前記鑑賞者端末装置における前記抽出手段は、
前記組込手段によって前記画像データに組み込まれた前記製作者のＩＤ情報および前記視覚特性情報を抽出し、該抽出した前記製作者のＩＤ情報および前記視覚特性情報を対応付けて記憶することを特徴とする付記１〜６のいずれか一つに記載の画像表示システム。
【０１２３】
【発明の効果】
以上説明したように、本発明によれば、製作者によって製作された画像データに少なくとも製作者の視覚特性情報を組み込み、製作者の視覚特性情報を組み込まれた画像データを受信し、受信した画像データから製作者の視覚特性情報を抽出し、少なくとも製作者の視覚特性情報に基づいて、画像データを補正することとしたので、製作者の視覚特性データに基づいて標準的な視覚特性データで製作された画像データと同様のものに補正することができる。これにより、製作者の意図したとおりに鑑賞者が知覚するように画像を表示することができる。
【０１２４】
また、本発明によれば、製作者の視覚特性情報に加えて、鑑賞者の視覚特性情報をも用いて、画像データを補正することとしたので、製作者によって製作された画像データを鑑賞者の視覚特性データによって製作された画像データと同様のものに補正することができる。これにより、製作者の意図したとおりに鑑賞者が知覚するように画像を表示することができる。
【０１２５】
また、本発明によれば、鑑賞者の視覚特性情報に対して製作者の視覚特性情報が逸脱している部分を相対的補正情報として算出し、算出された相対的補正情報に基づいて、画像データを補正することとしたので、製作者の視覚特性データおよび鑑賞者の視覚特性データの逸脱を一度の処理で補正することができる。これにより、補正処理を効率的に動作させ、製作者の意図したとおりに鑑賞者が知覚するように画像を表示することができる。
【図面の簡単な説明】
【図１】実施の形態１に係る画像表示システムの構成を示すブロック図である。
【図２】視覚情報データベースに記憶される情報の構成例を説明するための図である。
【図３】製作者のＩＤ情報を説明するための図である。
【図４】実施の形態１に係る製作者端末装置の手順を示すフローチャートである。
【図５】実施の形態１に係る鑑賞者端末装置の手順を示すフローチャートである。
【図６】実施の形態１に係る補正処理の手順を示すフローチャートである。
【図７】実施の形態２に係る画像表示システムの構成を示すブロック図である。
【図８】実施の形態２に係る鑑賞者端末装置の手順を示すフローチャートである。
【図９】実施の形態２に係る補正処理の手順を示すフローチャートである。
【図１０】実施の形態３に係る画像表示システムの構成を示すブロック図である。
【図１１】実施の形態３に係る鑑賞者端末装置の手順を示すフローチャートである。
【図１２】実施の形態３に係る補正処理の手順を示すフローチャートである。
【図１３】本実施の形態４に係るコンピュータシステムの構成を示すシステム構成図である。
【図１４】図１３に示したコンピュータシステムにおける本体部の構成を示すブロック図である。
【符号の説明】
１０  画像表示システム
２０  製作者端末装置
２１  製作者データ入力部
２２  視覚データ取得部
２３  テーブル
２４  視覚特性データ算出部
２５  画像データ入力部
２６  制御部
２７  送信処理部
３０、４０、５０  鑑賞者端末装置
３１  受信処理部
３２  制御部
３３  視覚特性データ記憶部
３４  補正部
３５  表示制御部
３６  表示部
４１  鑑賞者データ入力部
４２  視覚データ取得部（鑑賞者）
４３  視覚特性データ算出部
５１  相対的補正データ算出部
６０  視覚情報データベース
【図１】
2004157302.tif 000003
【図２】
2004157302.tif 000004
【図３】
2004157302.tif 000005
【図４】
2004157302.tif 000006
【図５】
2004157302.tif 000007
【図６】
2004157302.tif 000008
【図７】
2004157302.tif 000009
【図８】
2004157302.tif 000010
【図９】
2004157302.tif 000011
【図１０】
2004157302.tif 000012
【図１１】
2004157302.tif 000013
【図１２】
2004157302.tif 000014
【図１３】
2004157302.tif 000015
【図１４】
2004157302.tif 000016